(57)【要約】【課題】ベビーベッドとしても、テーブルまたはラックとしても使うことのできる育児家具の提供を目的とする。【解決手段】化粧プレート２，２と、化粧プレートに着脱可能な脚部材，側枠体５，５を備え、ベビーベッドにもテーブルまたはラックにもなる。なお、化粧プレート２の底側には、床面に所定長さで当接して、ベビーベッドとして使用する際に、ベッドを静止状態に保つことのできる当接直線部２ａが中央部に形成されており、その左右両側には、床面から浮き上がり、ベビーベッドを左右に揺動可能とする揺動用湾曲部２ｂ，２ｂが形成されている。【選択図】                図１
2004249001.tif 000002
【特許請求の範囲】
【請求項１】
化粧プレートと、該化粧プレートに着脱可能な脚部材，側枠体を備え、ベッドにも、テーブルまたはラックにもなる育児家具。
【請求項２】
ベビーベッドを構成する化粧プレートの底側には、床面に所定長さで当接して、ベビーベッドを静止状態に保つことのできる当接直線部と、該当接直線部の左右両側で前記床面から浮き上がり、ベビーベッドを左右に揺動可能とする揺動用湾曲部が形成されていることを特徴とする育児家具。
【発明の詳細な説明】
【０００１】
【発明の属する技術分野】
この発明は、育児家具に関するものである。
【０００２】
【従来の技術】
従来、乳幼児をだっこ或いはおんぶすることなく、乳幼児を寝かし付けることのできる往復直線運動が行える乳幼児用ベッドが存在する（例えば、特許文献１参照。）。
【０００３】
【特許文献１】
特開２００１−００８７９６号公報
【０００４】
【発明が解決しようとする課題】
従来の乳幼児用ベッドは、構造が複雑で、構成部材が多く、高価なものであり、ベッド以外には使用することができず、子供が成長した後には邪魔になってしまうという問題点があった。
【０００５】
【課題を解決するための手段】
本発明は、上記従来の問題点に鑑み案出したものであって、簡単な構成部材で安価に製造することができ、ベビーベッドとして、また、テーブルまたはラックとして使用することができる育児家具を提供せんことを目的とし、その第１の要旨は、化粧プレートと、該化粧プレートに着脱可能な脚部材，側枠体を備え、ベッドにも、テーブルまたはラックにもなる育児家具である。
【０００６】
また、第２の要旨は、ベビーベッドを構成する化粧プレートの底側には、床面に所定長さで当接して、ベビーベッドを静止状態に保つことのできる当接直線部と、該当接直線部の左右両側で前記床面から浮き上がり、ベビーベッドを左右に揺動可能とする揺動用湾曲部が形成されていることである。
【０００７】
【発明の実施の形態】
以下、本発明の実施例を図面に基づいて説明する。
図１は、育児家具をベビーベッドとして使用する場合であり、このベビーベッドである育児家具１は、一対の化粧プレート２，２と、この一対の化粧プレート２，２をつなぐ一対の側枠体５，５と、図８に示す底板８と、図９に示す保持金具６で構成されている。
【０００８】
化粧プレート２は、図４の正面図で示すような形状に、一定の厚みを有する板材で形成されており、外側の表面にはキャラクター模様４が印刷等されているものであり、化粧プレート２の底側の辺の中央部は、直線状を成す当接直線部２ａとなっており、この当接直線部２ａは、図１０に概略図で示すように、１００ｍｍ〜１５０ｍｍ程度の長さに設定されている。
この当接直線部２ａの左右両側には、上方側へ湾曲して揺動用湾曲部２ｂ，２ｂが連続状に形成されており、また、左右の揺動用湾曲部２ｂ，２ｂのそれぞれの外側には、外方向へ突出して左右のストッパー部２ｃ，２ｃが連続して形成されている。
【０００９】
この左右のストッパー部２ｃ，２ｃからそれぞれ上方へ湾曲して側面湾曲部２ｄ，２ｄが立ち上げられており、それぞれの側面湾曲部２ｄ，２ｄの上端は、肩部２ｅ，２ｅとなっており、この左右の肩部２ｅ，２ｅは、中央部が盛り上がったアーチ部２ｆに連続されている。
また、アーチ部２ｆの中央部付近、及び、前記左右の肩部２ｅ，２ｅ付近、及び、前記左右のストッパー部２ｃ，２ｃ付近には、それぞれ貫通状にネジを通すことのできるネジ用孔３，３，３，３，３が形成されている。
【００１０】
図１に示すように、このアーチ部２ｆのネジ用孔３を除く４個のネジ用孔３，３，３，３内にそれぞれ皿ネジ７，７，７を通し、皿ネジ７，７を図７に分解図で示す左右の側枠体５のそれぞれの横棒５ａ，５ｂの端部にねじ込んで、一対の側枠体５，５と一対の化粧プレート２，２を皿ネジ７，７，７を介し連結することができるものである。
即ち、側枠体５は図７に示すように、上下に平行状に角材で構成された上横棒５ａと下横棒５ｂが設けられ、この上横棒５ａと下横棒５ｂ間には、所定間隔で縦方向に複数の縦棒５ｃ，５ｃ，５ｃが設けられて、全体がはしご状に枠組み形成されたものである。
この左右の側枠体５，５の下横棒５ｂ，５ｂには、保持金具６，６を掛止状に取り付けることができるものである。
【００１１】
保持金具６は図９に示すような形状に形成されており、側枠体５の下横棒５ｂに掛止することのできる引掛け部６ａが、一対の立上片６ｂ，６ｄと上辺６ｃでコの字状に折り曲げて形成されており、立上片６ｄの下端から水平方向に折り曲げて水平載置部６ｅが一体形成されたものである。
側枠体５の下横棒５ｂに引掛け部６ａを上方から挟み込むようにして引掛けた状態で、保持金具６は下横棒５ｂに固定され、その状態では水平載置部６ｅが内側に水平状に突出した状態となる。
この４個の保持金具６のそれぞれの水平載置部６ｅ，６ｅ，６ｅ上に、図８に示すような底板８を載せて、ベビーベッドを完成させることができ、底板８には上下方向に貫通して複数の通気孔８ａが形成されている。
【００１２】
このように組立てられたベビーベッドは、図１０に示すように、床面Ｆ上に置かれた時に、一対の化粧プレート２，２の底側辺の当接直線部２ａが床面Ｆに所定長さで当接することにより、即ち、床板８上に寝ている子供の体重により、当接直線部２ａが床面Ｆと所定長さで当接状態となって、ベビーベッドは静止状態に保持されるように構成されている。
【００１３】
また、母親等が乳幼児をだっこ或いはおんぶすることなく寝かし付けようとする際には、化粧プレート２のアーチ部２ｆ、或いは肩部２ｅ，２ｅを手で持ち、化粧プレート２を左右方向に揺動させることができ、化粧プレート２には、左右に揺動用湾曲部２ｂ，２ｂが形成されているため、この揺動用湾曲部２ｂ，２ｂは床面Ｆから浮き上がっており、良好に左右にベビーベッドを揺動させて、乳幼児を寝かし付けることができるものとなる。
【００１４】
なお、この場合、図１０に示すように、左右の何れかのストッパー部２ｃ，２ｃが床面Ｆに当接することにより、過度にベビーベッドが揺動して左右方向に倒れてしまうのを良好に防ぐことができる。
このように、簡単な構造で、良好に揺動させて乳幼児を寝かし付けることができるとともに、乳幼児が寝た時には、その体重で当接直線部２ａが床面Ｆに所定長さで当接して、ベビーベッドは静止状態に良好に保持されるものとなる。
【００１５】
次に、図２では、テーブルとして組立てて使用している状態図であり、前述した図１のベビーベッドを構成する化粧プレート２，２を水平状態にして、テーブルとして用いることができるものであり、この場合は、図５及び図６に示す長尺脚９と、短尺脚１０が用いられるものであり、育児家具には予めこのような長尺脚９及び短尺脚１０がセットとして付加しておくことができる。
長尺脚９の上端には、皿ネジ７をねじ込むネジ用下孔９ａが形成されており、また、短尺脚１０にもネジ用下孔１０ａが形成されている。
【００１６】
図２において、下方側の化粧プレート２には、４本の皿ネジ７を用いて４本の短尺脚１０が垂設され、また、上方側の化粧プレート２には、皿ネジ７を用いて４本の長尺脚９と、アーチ部２ｆには１本の短尺脚１０が垂設されている。
アーチ部２ｆに垂設された短尺脚１０はその下端を、下方側の化粧プレート２上に当接させて配置することができ、また、このアーチ部２ｆに垂設された短尺脚１０の下端を下方側の化粧プレート２にネジで連結させるように構成しても良い。
図２の状態では、段違いのテーブルとして使用することができるものであり、乳幼児等がお絵描き，食事等をする際に、良好に使用することができるものである。
【００１７】
次に、図３では２段ラックとして使用している場合を例示しており、図３では、化粧プレート２を３枚用いて、これをそれぞれ水平にして、平行状に上下に配置させ、４本の短尺脚１０，１０，１０，１０と、４本の長尺脚９，９，９，９により連結させたものであり、このように組立てて２段ラックとしても使用することができるため、化粧プレート２等の構成部材を子供の成長に合わせて、ベビーベッドからテーブルまたはラックに組み替えて、長期間使用することができるものとなり、従来のように邪魔になったりすることもなく、有効に構成部材を長期に亘り育児家具として使用することができる。しかも、構成部材は簡単な構造であり、安価な育児家具となる。
【００１８】
【発明の効果】
本発明の育児家具は、化粧プレートと、該化粧プレートに着脱可能な脚部材，側枠体を備え、ベッドにも、テーブルまたはラックにもなるように構成したことにより、子供の成長等に合わせて、組み替えてベビーベッドからテーブルまたはラックとして使用することができ、従来のベビーベッドのように、子供が成長した後に邪魔になることがない。また、簡単な構成部材で安価な育児家具となる。
【００１９】
また、ベビーベッドを構成する化粧プレートの底側には、床面に所定長さで当接して、ベビーベッドを静止状態に保つことのできる当接直線部と、該当接直線部の左右両側で前記床面から浮き上がり、ベビーベッドを左右に揺動可能とする揺動用湾曲部が形成されていることにより、化粧プレートの底側に形成された左右の揺動用湾曲部により、化粧プレートを左右方向に揺動させることができるものとなり、ベビーベッドにこのような化粧プレートを設けることで、乳幼児をだっこ或いはおんぶすることなく、揺動させて良好に寝かし付けることができるものとなる。
また、乳幼児が眠った状態では、その乳幼児の体重により、化粧プレートの底側の中央部に形成されている当接直線部が床面に当接状態となり、ベビーベッドは良好な静止状態に保たれ、良好に通常のベッドとして使用することができるものとなる。
【図面の簡単な説明】
【図１】育児家具をベビーベッドとして組立てた状態の斜視構成図である。
【図２】育児家具を２段テーブルとして組立てた状態の斜視構成図である。
【図３】育児家具を２段ラックとして組立てた状態の斜視構成図である。
【図４】構成部材である化粧プレートの正面図である。
【図５】構成部材である長尺脚の斜視図である。
【図６】構成部材である短尺脚の斜視図である。
【図７】構成部材である側枠体の斜視図である。
【図８】構成部材である底板の斜視図である。
【図９】構成部材である保持金具の斜視図である。
【図１０】ベビーベッドが左右方向に揺動する作用状態の説明図である。
【符号の説明】
１    育児家具
２    化粧プレート
２ａ    当接直線部
２ｂ    揺動用湾曲部
２ｃ    ストッパー部
２ｄ    側面湾曲部
２ｅ    肩部
２ｆ    アーチ部
３    ネジ用孔
４    キャラクター模様
５    側枠体
５ａ    上横棒
５ｂ    下横棒
５ｃ    縦棒
６    保持金具
６ａ    引掛け部
６ｅ    水平載置部
７    皿ネジ
８    底板
８ａ    通気孔
Ｆ    床面
【図１】
2004249001.tif 000003
【図２】
2004249001.tif 000004
【図３】
2004249001.tif 000005
【図４】
2004249001.tif 000006
【図５】
2004249001.tif 000007
【図６】
2004249001.tif 000008
【図７】
2004249001.tif 000009
【図８】
2004249001.tif 000010
【図９】
2004249001.tif 000011
【図１０】
2004249001.tif 000012